【手続補正書】
【提出日】平成25年3月7日(2013.3.7)
【手続補正１】
【補正対象書類名】明細書
【補正対象項目名】０００７
【補正方法】変更
【補正の内容】
【０００７】
この目的は、本発明によれば、請求項１に記載の認証方法および請求項１２に記載の認証システムによって解決される。本発明の有利な発展形態は、それぞれの従属請求項で規定される。
【手続補正２】
【補正対象書類名】特許請求の範囲
【補正対象項目名】全文
【補正方法】変更
【補正の内容】
【特許請求の範囲】
【請求項１】
セルラ移動体無線ネットワーク（１７）を用いてアクセスデバイスでのユーザ（１１）の認証を行うための方法であって、前記アクセスデバイスが、前記移動体無線ネットワーク（１７）とは異なる設備またはサービスへのアクセスを提供し、前記セルラ移動体無線ネットワーク（１７）が、一意性の識別子で移動体無線セル（１６）を定義する基地局（１２）を備え、一意性の識別子を有する移動体無線端末（１４）が、前記基地局（１２）を介して前記移動体無線ネットワーク（１７）にログインし、前記認証が、前記移動体無線セル（１６）の識別子と前記移動体無線端末（１４）の識別子を用いて行われる方法において、
前記基地局（１２）が、前記アクセスデバイスの位置に配置され、それにより前記アクセスデバイスが、前記基地局（１２）によってサービスされる独自の移動体無線セル（１６）を有し、この移動体無線セル（１６）が、前記移動体無線ネットワーク（１７）の認証セル（１６）を定義すること、前記移動体無線端末（１４）が、前記アクセスデバイスでの認証のために、前記認証セル（１６）の前記基地局（１２）を介して前記移動体無線ネットワーク（１７）にログインさせられ、それから、前記アクセスデバイスにて前記ユーザ（１１）がアクセスを許可されているかどうか検査する認証エンティティ（１８、１９）に前記識別子が送信されること、および前記ユーザ（１１）の許可状況に応じてアクセスが認可または拒否され、そこで前記ユーザ（１１）が、前記アクセスデバイスまたは別のデバイスに非接触で送信されるユーザ入力を行うように、および／または前記アクセスデバイスまたは別のデバイスに非接触で送信される識別データを提供するように要求され、認証のために、さらに前記ユーザ入力および／または識別データの検証が行われることを特徴とする、方法。
【請求項２】
前記移動体無線端末（１４）が、前記認証セル（１６）の地理的なカバレッジ領域に入った直後に前記移動体無線ネットワーク（１７）にログインすることを特徴とする、請求項１に記載の方法。
【請求項３】
認証プロセスが開始された後に、前記移動体無線端末（１４）が前記移動体無線ネットワーク（１７）にログインし、前記基地局（１４）が、認証用の何らかの信号をブロードキャストすることを特徴とする、請求項１または２に記載の方法。
【請求項４】
認証プロセスが開始された後に前記基地局（１４）が作動されることを特徴とする、請求項１〜３のいずれか一項に記載の方法。
【請求項５】
前記ユーザ（１１）が、前記移動体端末（１４）の識別子によって識別され、前記アクセスデバイスが、前記アクセスデバイスと前記認証セル（１６）の相互の割当てに基づいて、前記認証セル（１６）の識別子によって識別されることを特徴とする、請求項１〜４のいずれか一項に記載の方法。
【請求項６】
前記ユーザ（１１）の許可状況が検査された後、肯定的または否定的なフィードバックメッセージが生成され、特に前記認証セル（１６）を介して前記アクセスデバイスに提出されることを特徴とする、請求項１〜５のいずれか一項に記載の方法。
【請求項７】
前記識別データが生体測定データであることを特徴とする、請求項１〜６のいずれか一項に記載の方法。
【請求項８】
前記ユーザ入力および／または識別データが、ＲＦＩＤによって前記アクセスデバイスまたは別のデバイスに送信されることを特徴とする、請求項１〜７のいずれか一項に記載の方法。
【請求項９】
認証に成功すると、現金自動預払機、ドア、部屋、安全ゲート、車両、端末、コンピュータシステム、コンピュータ上のアプリケーション、または政府機関もしくは政府機関のサービスへのアクセスが承認されることを特徴とする、請求項１〜８のいずれか一項に記載の方法。
【請求項１０】
前記基地局（１２）が、特殊移動体無線ネットワークオペレータ識別情報、特に中立的移動体無線ネットワークオペレータ識別情報をブロードキャストすることを特徴とする、請求項１〜９のいずれか一項に記載の方法。
【請求項１１】
前記基地局（１２）が、複数の移動体無線ネットワークオペレータ識別情報をブロードキャストすることを特徴とする、請求項１〜１０のいずれか一項に記載の方法。
【請求項１２】
セルラ移動体無線ネットワーク（１７）を用いてアクセスデバイスでのユーザ（１１）の認証を行うためのシステムであって、アクセスデバイスと、セルラ移動体無線ネットワーク（１７）とを備え、前記アクセスデバイスが、前記移動体無線ネットワーク（１７）とは異なる設備またはサービスへのアクセスを提供し、前記セルラ移動体無線ネットワーク（１７）が、一意性の識別子で移動体無線セル（１６）を定義する基地局（１２）を備え、前記システムがさらに、一意性の識別子を有しかつ前記基地局（１２）を介して前記移動体無線ネットワーク（１７）にログインすることができる移動体無線端末（１４）を備えており、前記移動体無線セル（１６）の識別子と前記移動体無線端末（１４）の識別子を用いて認証を行うことができるシステムにおいて、
前記基地局（１２）が、前記アクセスデバイスの位置に配置され、それにより前記アクセスデバイスが、前記基地局（１２）によってサービスされる独自の移動体無線セル（１６）を有し、この移動体無線セル（１６）が、前記移動体無線ネットワーク（１７）の認証セル（１６）を定義すること、前記システムが、前記アクセスデバイスでの認証のために前記移動体無線端末（１４）を前記認証セル（１６）の前記基地局（１２）を介して前記移動体無線ネットワーク（１７）にログインさせるように構成され、前記システムがさらに、前記識別子を受信して、前記アクセスデバイスにて前記ユーザ（１１）がアクセスを許可されているかどうか検査するための認証エンティティ（１８、１９）と、ユーザ入力を受信するため、および／またはユーザ（１１）の識別データを記録するための受信デバイスとを備え、この受信デバイスが、前記ユーザ入力および／または前記識別データを前記アクセスデバイスまたは追加の認証用の別のデバイスに、非接触で送信するように構成されることを特徴とする、システム。
【請求項１３】
前記認証セル（１６）の前記基地局（１２）が、電磁的に包囲された領域内に配置されることを特徴とする、請求項１２に記載のシステム。
【請求項１４】
前記認証セル（１６）が、セルラ移動体無線ネットワークの通常のマクロセルよりも空間的にはるかに小さいピコセルまたはフェムトセルであることを特徴とする、請求項１２または１３に記載のシステム。
【請求項１５】
前記認証セル（１６）の前記基地局（１２）が、ケーブル接続を介して、および／またはリピータとして、および／または無線通信を介して、前記移動体無線ネットワーク（１７）に接続されることを特徴とする、請求項１２〜１４のいずれか一項に記載のシステム。
【請求項１６】
前記識別データが前記ユーザ（１１）の生体測定データであり、前記受信デバイスが前記ユーザ入力および／または前記識別データを前記アクセスデバイスまたは前記別のデバイスに、ＲＦＩＤによって送信するように構成されることを特徴とする、請求項１２〜１５のいずれか一項に記載のシステム。
【請求項１７】
前記アクセスデバイスが、現金自動預払機、入口またはドアでの進入制御、安全ゲート、車両、コンピュータシステム、コンピュータ上のアプリケーション、または政府機関の不可欠な部分であることを特徴とする、請求項１２〜１６のいずれか一項に記載のシステム。
【請求項１８】
前記移動体無線ネットワーク（１７）とは異なる設備またはサービスへのアクセスを提供するアクセスデバイスにおいて、一意性の識別子でセルラ移動体無線ネットワーク（１７）の移動体無線セル（１６）を定義する独自の基地局（１２）を有し、請求項１〜１１のいずれか一項に記載のユーザ（１１）の認証を行うための方法を実施するように構成されたアクセスデバイス。